(57)【要約】【課題】携帯電話機本体に装着されるとき、アンテナの外観デザインに関わらず、常にアンテナを電話機本体に同じ形態で設置することができ、電話機本体に安定的に固定され分解と組立が容易で、かつ交換作業が便利に行える携帯電話機用のアンテナユニットを提供することにある。【解決手段】携帯電話機用のアンテナユニットは、案内溝部３２０を有し、電話機本体内に装着されるアンテナホルダー３１６と、アンテナホルダー３１６に挿入固定されるアンテナコネクタ３１３と、アンテナコネクタ３１３と一体的に形成されるアンテナ支持部３１２とを有し、案内溝部３２０に係合される突起部３１３ａを持つアンテナハウジング３１１と、電話機本体から引き入れや引き出しができるようにアンテナコネクタ３１３とアンテナ支持部３１２とを貫通して設置されるロッドアンテナ３１５とを備えた。【選択図】図２
2004343704.tif 000002
【特許請求の範囲】
【請求項１】
案内溝部を有し、電話機本体内に装着されるアンテナホルダーと、
前記アンテナホルダーに挿入固定されるアンテナコネクタと、前記アンテナコネクタと一体的に形成されるアンテナ支持部とを有し、前記案内溝部に係合される突起部を持つアンテナハウジングと、
前記電話機本体から引入れ及び引出し可能であり、前記アンテナコネクタと前記アンテナ支持部とを貫通して設置されるロッドアンテナとを備えたことを特徴とする携帯電話機用のアンテナユニット。
【請求項２】
前記アンテナホルダーは、中空円筒状からなり、前記案内溝部は、上部孔の一側に前記突起部が挿入されるよう形成される進入溝と、前記進入溝から水平に延長形成される進入直線溝と、前記進入直線溝から下側へ傾斜状に延長形成される傾斜誘導溝と、前記傾斜誘導溝から水平に延長形成される固定直線溝とからなることを特徴とする請求項１に記載の携帯電話機用のアンテナユニット。
【請求項３】
前記アンテナホルダーには、２つの案内溝部が対称となる位置に形成され、前記アンテナコネクタには前記２つの案内溝部にそれぞれ係合される２つの突起部が形成されていることを特徴とする請求項２に記載の携帯電話機用のアンテナユニット。
【請求項４】
前記アンテナ支持部の下側には、弾性突起部が形成されており、この弾性突起部が前記電話機本体の外側と接触することによって、前記アンテナハウジングが前記電話機本体に堅固に固定されることを特徴とする請求項１乃至３のいずれかに記載の携帯電話機用のアンテナユニット。
【請求項５】
前記案内溝部は、その固定直線溝の一端に固定溝を持ち、この固定溝に前記アンテナコネクタの突起部が挿入されて、前記アンテナコネクタが前記電話機本体に固定されることを特徴とする請求項２に記載の携帯電話機用のアンテナユニット。
【請求項６】
電話機本体内部の送受信回路と電気的に連結されてロッドアンテナが上方向へ引き出され得るように内部に縦方向の貫通孔が形成される金属材質のアンテナコネクタと、合成樹脂あるいはゴム材質からなり、横断面形状が楕円または四角のような線対称となるよう前記アンテナコネクタの外側にインサート射出により一体的に成形されるアンテナ支持部とからなるアンテナハウジングと、
前記アンテナハウジングが前記電話機本体に係合されるよう電話機本体上部側に形成されるアンテナ装着部と、
前記アンテナ装着部に形成される中空状の取付溝に設置される金属材質のアンテナホルダーとを備えた携帯電話機用のアンテナユニットにおいて、
前記アンテナホルダーの上端には、一側から他側に至るまで、あるいは他側から一側に至るまで、漸次下向傾斜状に溝が掘られ、両側に垂直に突部が成形され、両側の突部をつなぐ延長線が本体上面と水平をなすよう前記アンテナホルダーが前記取付溝に配設され、
前記アンテナコネクタ外壁の両側には、前記突部と噛み合わされるストッパーが備えられ、前記アンテナハウジングの電話機本体への取り付け時に、前記アンテナ支持部の下端が本体の上面と水平をなし、前記アンテナ装着部の上面と一致した高さとなることを特徴とする携帯電話機用のアンテナユニット。
【請求項７】
前記突部の高さは、０.２ｍｍ乃至１ｍｍの範囲内であることを特徴とする請求項６に記載の携帯電話機用のアンテナユニット。
【発明の詳細な説明】
【技術分野】
【０００１】
本発明は、携帯電話機用のアンテナに関するものであって、さらに詳細には、携帯電話機本体に安定的に固定され分解と組立てが容易で、かつアンテナの交換作業が簡単にできる携帯電話機用のアンテナユニットに関するものである。
【背景技術】
【０００２】
一般に、携帯電話機は、無線通信技術により移動中においても自由に通信できる装置のことで、ここでは、セルラー方式の携帯電話、ＰＣＳ(Personal Communications Services)フォン、デジタル携帯電話等様々な形態の電話機が含まれる。
【０００３】
携帯電話機には、信号の送受信のためのアンテナ装置が設けられているが、携帯電話機用のアンテナは、電話機本体に固定されアンテナの長さが変化しない固定式アンテナと、電話機本体に固定されるアンテナハウジングよりロッドアンテナが引き入れ・引き出し可能に設置される伸縮アンテナとに分けることができる。携帯電話機を設計する際には、機能及びデザインの側面を考慮して固定式アンテナと伸縮式アンテナのいずれかを採用する。
【０００４】
図１３は、従来例の携帯電話機用のアンテナユニットの斜視図及び部分断面図である。
図示された携帯電話機１は、伸縮式アンテナを使用した例として、アンテナユニット１０において、電話機本体１４の下部フレーム１４ａ上側に突出して設けられるアンテナハウジング１１と、このハウジング１１から引き入れ・引き出し可能なロッドアンテナ１５と、電話機本体１４の下部フレーム１４ａ上部に内蔵されるアンテナホルダー１６とを有している。
【０００５】
電話機本体１４の下部フレーム１４ａ上部には、金属材質のアンテナホルダー１６が内蔵され、本体１４の送受信回路（図示せず）と接続され信号を受信できるようになる。アンテナハウジング１１は、横断面が円形からなるアンテナ支持部１２と、その下側に一体に形成される金属材質のアンテナコネクタ１３からなる。アンテナコネクタ１３の外側には、ネジ部１３ａが形成されるが、アンテナハウジング１１はアンテナコネクタ１３のネジ部１３ａが前記アンテナホルダー１６にネジ結合されることによって本体１４に固定される。
【０００６】
ロッドアンテナ１５は、アンテナハウジング１１を垂直方向に通過して引き入れ・引き出し可能に設け、上側へ引き出された際には、ロッドアンテナ１５下側端部の接地部（図示せず）がアンテナコネクタ１３と接触することによって、アンテナホルダー１６を介して本体送受信回路（図示せず）と電気的に連結されて信号を送受信する。
【０００７】
アンテナが外部衝撃を受けてロッドアンテナ１５が折れる等の問題が発生した際の修理作業は、アンテナハウジング１１を回転させてロッドアンテナ１５と共にアンテナハウジング１１を電話機本体１４から分離した後、ロッドアンテナ１５とアンテナハウジング１１とからなる新たな部品を組み立てるという簡単な作業で行われる。
【０００８】
携帯電話機の使用者の多様なニーズを充足させるために、アンテナハウジング１１の横断面形状を円形だけに極限することなく、横断面が四角、菱形、楕円など、多様な形状からなるアンテナハウジングが使用されている。
【０００９】
図１４は、他の従来例の携帯電話機用のアンテナユニットの斜視図及び部分組立図である。
【００１０】
図示された携帯電話機２は、伸縮式アンテナを使用した更に他の例である。図１３に図示された従来例と同じように、アンテナユニット２０は、電話機本体２７の下部フレーム２７ａ上部に突出設置されるアンテナハウジング２１と、このハウジング２１から引き入れ・引き出し可能なロッドアンテナ２５と、本体下部フレーム２７ａ上部に内蔵されるアンテナホルダー（図示せず）とを含む構成からなる。
【００１１】
ここで、アンテナハウジング２１は、横断面形状が長方形のアンテナ支持部２２と、アンテナ支持部２２の下部に一体的に形成される金属材質のアンテナコネクタ２３とを含む。上述した図１３の例では、アンテナコネクタ１３を円筒状に構成して外側にネジ部を形成したが、図１４の例では、図１３の例とは違ってアンテナコネクタ２３が楔状の結合構造からなり、電話機本体２７に楔の結合により固定される。
【００１２】
アンテナコネクタ２３が、図１の例と同様に、円筒状からなり、その外側にネジ部が形成される構造をしていると、長方形の横断面を有するアンテナ支持部２２とアンテナコネクタ２３の結合状態に応じてアンテナハウジング２１が本体２７に結合された形状が違ってしまう。すなわち、アンテナハウジング２１が組み立てられる際に、携帯電話機２の前方から見た場合に、アンテナハウジング２１がねじれたような状態に組み立てられることがありうる。これは美観上、望ましくない。従って、アンテナハウジング２１の横断面が、円形でない形態のアンテナにおいては、アンテナコネクタ２３を楔状に制作するしかない設計上の限界がある。
【００１３】
図１４に示されるような構成からなる一般的なアンテナでは、外部衝撃によりロッドアンテナが折られる等の故障が発生した場合に、アンテナの交換作業にあたって、非常に手間のかかる作業を伴うこととなる。すなわち、アンテナユニット２０の交換作業は、まずバッテリパック２６を除去して、電話機本体２７の下部フレーム２７aを分解し、本体２７内側に位置する楔状アンテナコネクタ２３を外部へ露出させた後、アンテナユニット２０を交換するという非常に手間のかかる作業を行わなければならない。
【００１４】
さらに、下部フレーム２７ａと上部フレーム２７ｂとは、各種ボルト（図示せず）により相互に結合されているたげではなく、下部フレーム２７ａが電話機本体２７内に設置される送受信回路（図示せず）等の各種電子部品を保護している為に、消費者が容易に分解できない問題点がある。従って、消費者は別途の修理費用を負担しながらサービスセンターに修理を依頼するしかなく、サービスセンターでの修理の際においても、上述したような手間のかかる作業であるため、送受信回路及び電話機内の各種連結装置に対する二次的な故障が起るおそれが常にあった。
【００１５】
このような問題点を解決する試みとして、外部衝撃によりアンテナハウジングに歪み現状が起こっても、アンテナが本体から離脱や破損されることを防ぐためにアンテナホルダーに緩衝溝を形成したり、アンテナホルダーを電話機本体と一体に形成する等されたものが知られている（例えば、特許文献１及び２参照）。しかし、このような発明によっても、アンテナを容易に交換することができないため、上記の二次的故障発生のおそれ等の問題を根本的に解決することはできないという問題があった。
【特許文献１】韓国実用新案公開第２０００−１４２０２号公報
【特許文献２】韓国実用新案公開第２０００−１４２１６号公報
【発明の開示】
【発明が解決しようとする課題】
【００１６】
本発明の目的は、携帯電話機本体に安定的に固定され分解と組立が容易で、かつ交換作業を簡単に行うことが可能な携帯電話機用のアンテナユニットを提供することにある。
【００１７】
本発明の他の目的は、アンテナが携帯電話機本体に装着されるとき、アンテナの外観デザインに関わらず、アンテナの電話機本体への結合形状が常に同じ形状となるようにして、多様なデザインのアンテナを採用して機能性と外観を改善することにある。
【課題を解決するための手段】
【００１８】
上記目的を達成するために請求項１の発明は、案内溝部を有し、電話機本体内に装着されるアンテナホルダーと、アンテナホルダーに挿入固定されるアンテナコネクタと、アンテナコネクタと一体的に形成されるアンテナ支持部とを有し、案内溝部に係合される突起部を持つアンテナハウジングと、電話機本体から引入れ及び引出し可能であり、アンテナコネクタとアンテナ支持部とを貫通して設置されるロッドアンテナとを備えたものである。
【００１９】
上記構成においては、ロッドアンテナを支持するアンテナコネクタに突起部を形成し、電話機本体内に内蔵されるアンテナホルダーの案内溝部に突起部を挿入してアンテナハウジングを回転させることによって、アンテナを電話機本体に簡単に装着及び分離できる。
【００２０】
請求項２の発明は、請求項１に記載の携帯電話機用のアンテナユニットにおいて、アンテナホルダーは、中空円筒状からなり、案内溝部は、上部孔の一側に突起部が挿入されるよう形成される進入溝と、進入溝から水平に延長形成される進入直線溝と、進入直線溝から下側へ傾斜状に延長形成される傾斜誘導溝と、傾斜誘導溝から水平に延長形成される固定直線溝とからなるものである。
【００２１】
請求項３の発明は、請求項２に記載の携帯電話機用のアンテナユニットにおいて、アンテナホルダーには、２つの案内溝部が対称となる位置に形成され、アンテナコネクタには上記２つの案内溝部にそれぞれ係合される２つの突起部が形成されているものである。
【００２２】
請求項４の発明は、請求項１乃至３のいずれかに記載の携帯電話機用のアンテナユニットにおいて、アンテナ支持部の下側には、弾性突起部が形成されており、この弾性突起部が電話機本体の外側と接触することによって、アンテナハウジングが電話機本体に堅固に固定されるものである。
【００２３】
請求項５の発明は、請求項２に記載の携帯電話機用のアンテナユニットにおいて、案内溝部は、その固定直線溝の一端に固定溝を持ち、この固定溝にアンテナコネクタの突起部が挿入されて、アンテナコネクタが電話機本体に固定されるものである。
【００２４】
請求項６の発明は、電話機本体内部の送受信回路と電気的に連結されてロッドアンテナが上方向へ引き出され得るように内部に縦方向の貫通孔が形成される金属材質のアンテナコネクタと、合成樹脂あるいはゴム材質からなり、横断面形状が楕円または四角のような線対称となるようアンテナコネクタの外側にインサート射出により一体的に成形されるアンテナ支持部とからなるアンテナハウジングと、アンテナハウジングが電話機本体に係合されるよう電話機本体上部側に形成されるアンテナ装着部と、アンテナ装着部に形成される中空状の取付溝に設置される金属材質のアンテナホルダーとを備えた携帯電話機用のアンテナユニットにおいて、アンテナホルダーの上端には、一側から他側に至るまで、あるいは他側から一側に至るまで、漸次下向傾斜状に溝が掘られ、両側に垂直に突部が成形され、両側の突部をつなぐ延長線が本体上面と水平をなすようアンテナホルダーが取付溝に配設され、アンテナコネクタ外壁の両側には、突部と噛み合わされるストッパーが備えられ、アンテナハウジングの電話機本体への取り付け時に、アンテナ支持部の下端が本体の上面と水平をなし、アンテナ装着部の上面と一致した高さとなるものである。
【００２５】
請求項７の発明は、請求項６に記載の携帯電話機用のアンテナユニットにおいて、突部の高さは、０.２ｍｍ乃至１ｍｍの範囲内であるものである。
【発明の効果】
【００２６】
本発明によれば、アンテナハウジングとロッドアンテナとが携帯電話機本体に安定的に固定され分解と組立てが容易で、かつ交換作業が便利に行える効果を奏する。
【００２７】
さらに、アンテナハウジングとロッドアンテナとが携帯電話機本体に装着されるとき、アンテナハウジングの外観デザインに関わらず、アンテナハウジングとロッドアンテナとが携帯電話機本体にいつも同じ形態で設置されるので、多様なデザインのアンテナハウジングを採用することができ、携帯電話機の機能性及び概観が改善される効果を奏する。
【発明を実施するための最良の形態】
【００２８】
以下、本発明の望ましい実施例を添付図面を参照して説明するが、これは本発明の属する技術分野における通常の知識を有する者が発明を容易に実施し得る程度に詳細に説明するものであって、これにより本発明の技術的な思想及び範疇が限定されることを意味するものではない。
【００２９】
図１に示されるように、本発明の第１の実施形態による携帯電話機用のアンテナユニット３１０は、携帯電話機３００の電話機本体３０１の所定位置に設置されている。このアンテナユニット３１０では、ロッドアンテナ３１５が本体３０１の上部に引き入れ・引き出し可能になっている。
【００３０】
アンテナユニット３１０は、電話機本体３０１内に設置されるアンテナホルダー３１６と、このアンテナホルダー３１６と結合されたアンテナハウジング３１１を貫通するように設置されるロッドアンテナ３１５を含む。
【００３１】
図２によれば、アンテナホルダー３１６は、金属材質の中空円筒状からなり、壁面に案内溝部３２０を有しており、本体３０１の下部フレーム３０１ａに装着されるが、本体３０１の送受信回路（図示せず）と接続され信号を受信できるように設置される。
【００３２】
アンテナハウジング３１１は、横断面が長方形のアンテナ支持部３１２と、支持部３１２に一体に形成されるアンテナコネクタ３１３とからなる。アンテナ支持部３１２は電気的に絶縁される材質からなり、射出成形等の方法により金属材質のアンテナコネクタ３１３と一体的に形成される。アンテナ支持部３１２は、その横断面形状が四角形だけではなく、電話機の全体的なデザイン側面を考慮して菱形、楕円形などさまざまな形状に加工され得る。
【００３３】
支持部３１２とアンテナコネクタ３１３とが結合してなるアンテナハウジング３１１は、垂直方向に貫通孔（図示せず）を形成している。ロッドアンテナ３１５は、この貫通孔を貫通してスライド運動可能に設置される。また、支持部３１２の下側の本体３０１と接する位置には、弾性突起部３１２ａが形成されている。この弾性突起部３１２ａは、アンテナハウジング３１１が本体３０１に対して堅固に固定されるような役割を果たす。
【００３４】
図３に示されるように、アンテナコネクタ３１３の外側には突起部３１３ａが形成されており、この突起部３１３ａは、アンテナホルダー３１６の案内溝部３２０と結合される。アンテナ交換時に、突起部３１３ａは、アンテナハウジング３１１を回転することにより案内溝部３２０を通して移動した後固定されることによって、アンテナハウジング３１１を堅固に固定する役割をする。
【００３５】
ロッドアンテナ３１５は、アンテナハウジング３１１を垂直方向に通過して引き入れ・引き出し可能に設置され、上側に引き出されたときにはロッドアンテナ３１５下側の端部の接地部（図示せず）がアンテナコネクタ３１３と接触することによって、アンテナホルダー３１６を介して本体送受信回路（図示せず）と電気的な連結がなされ信号を送受信する機能を行う。
【００３６】
案内溝部３２０は、アンテナホルダー３１６の壁面に形成される多数の溝からなる。すなわち、案内溝部３２０は、前記突起部３１３ａが挿入されるようにアンテナホルダー３１６上面の孔の外周縁に形成される進入溝３２１と、この進入溝３２１から水平に延長形成される進入直線溝３２２と、この進入直線溝３２２から下側へ傾斜状に延長形成される傾斜誘導溝３２３と、この傾斜誘導溝３２３から水平に延長形成される固定直線溝３２４及び固定直線溝３２４の端部に形成される固定溝３２５を含めてなる。
【００３７】
前記突起部３１３ａが案内溝部３２０を沿って移動し、アンテナハウジング３１１が本体３０１に固定されるまでを説明すると次の通りである。
【００３８】
進入溝３２１は、上述したように前記突起部３１３ａが挿入される通路の役割をして、進入直線溝３２２はアンテナハウジング３１１が回転されることにより前記突起部３１３ａが傾斜誘導溝３２３方向へ移動できるように案内する。
【００３９】
前記突起部３１３ａが傾斜誘導溝３２３へ侵入すると、前記アンテナ支持部３１２下側の弾性突起部３１２ａが本体３０１の上側と接触しながらアンテナハウジング３１１と本体３０１との間にある隔たりが減少してくるが、このときアンテナホルダー３１６軸方向に対して傾いた傾斜誘導溝３２３の構造により、アンテナハウジング３１１がアンテナホルダー３１６の方向へ引っ張られる作用が起こる。
【００４０】
アンテナハウジング３１１がさらに回転されると、突起部３１３ａが固定直線溝３２４へ滑り込んで挿入されることによってアンテナハウジング３１１が本体３０１に固定され、突起部３１３ａが固定溝３２５に挿入される。この状態では、傾斜誘導溝３２３の構造により、突起部３１３ａが進入溝３２１にいるときよりアンテナホルダー３１６側へさらに深く挿入される。そして、弾性突起部３１２ａの作用によりアンテナホルダー３１６とアンテナハウジング３１１とが互いに強く押し付けられた状態となる。従って突起部３１３ａが固定溝３２５に堅固に挿入された状態に維持されるため、アンテナハウジング３１１が本体３０１上に安定的に固定される。
【００４１】
このように、アンテナユニット３１０が携帯電話機３００の本体３０１に設置されるときに、案内溝部３２０と突起部３１３ａとの作用により設置される位置が決定されるので、アンテナハウジング３１１のデザインに関わらず、アンテナハウジング３１１が本体３０１に常に同じ形に設置されることができる。
【００４２】
このような構成からなるアンテナユニット３１０において、アンテナユニット３１０が外部より衝撃をうけてロッドアンテナ３１５が折れる等のような故障が起きた場合、ロッドアンテナ３１５及びアンテナハウジング３１１を交換する修理作業は簡便な作業を通して行われる。
【００４３】
ロッドアンテナ３１５及びアンテナハウジング３１１を交換するためにアンテナハウジング３１１を下に押しながら回転させると、突起部３１３ａが固定溝３２５及び固定直線溝３２４から抜け出られてアンテナハウジング３１１と本体３０１との係合が解除され、さらにアンテナハウジング３１１を回転させることによって、本体３０１からアンテナハウジング３１１を完全に分離することができる。
【００４４】
このような簡便な作業だけでもアンテナユニット３１０を分離または組み立てることができるので、別途の修理費用がかからず、消費者自ら修理できるだけではなく、修理作業中に起こり得る送受信回路及び電話機内の各種連結装置に対する二次的な故障を避けることができる。
【００４５】
上述した第１の実施形態によるアンテナユニット３１０は、突起部３１３ａと案内溝部３２０とを夫々一つずつ設置しているため、アンテナハウジング３１１が本体３０１に対して略１８０度回転されることによって結合がなされる。
【００４６】
図４は、本発明の第２の実施形態によるアンテナユニットを示す。図４に示されたアンテナホルダー４１６には、２つの案内溝部４２０が対称となるように形成されており、アンテナコネクタ４１３には２つの突起部４１３ａが形成されている。各突起部４１３ａが、それぞれ前記案内溝部４２０に係合されることにより、アンテナハウジング４１１が本体に固定されるようにする。図面符号４１５はロッドアンテナ、４１２はアンテナ支持部を示す。
【００４７】
案内溝部４２０は、進入溝４２１、進入直線溝４２１、傾斜誘導溝４２３、固定直線溝４２４及び固定溝４２５とを含めてなり、上述した第１の実施形態の案内溝部３２０とその構成が似ている。ところが、案内溝部４２０の全体長さは第１の実施形態とは異なっており、２つの案内溝部４２０がアンテナホルダー４１６上で左右対称となるよう形成される相異点を有する。しかし、それぞれの溝４２１〜４２５の作用は、上述した第１の実施形態の案内溝部３２０のそれぞれの溝３２１〜３２５の作用と同じである。
【００４８】
突起部４１３ａを上記構成の案内溝部４２０に結合させて、アンテナハウジング４１１を略９０度回転させる。これにより、突起部４１３ａが前記固定溝４２５に挿入されて、アンテナハウジング４１１と本体との固定がさらに安定的になる。
【００４９】
図５及び図６は、本発明の第３の実施形態によるアンテナユニットを示す。ロッドアンテナ９８は、携帯電話機本体１００の上部側から上方向へ引き入れ・引き出し可能に設置される。このために本体１００の上部側には縦方向の貫通孔１０８が形成されたアンテナハウジング１１０が一定の高さに突出された状態で、携帯電話機本体１００にネジ結合される。アンテナハウジング１１０は、合成樹脂で成形されたアンテナ支持部１１２と、電話機内部の送受信回路（図示せず）と電気的に連結された金属材質のアンテナコネクタ１１４とからなる。
【００５０】
図に示されるアンテナ支持部１１２の横断面は楕円状であるが、電話機の全体的なデザイン面を考慮して菱形、楕円状など、様々な断面形状に加工することができる。
【００５１】
アンテナコネクタ１１４は、ロッドアンテナ９８が通過できるような円筒状となっており、その外壁下部にはアンテナハウジング１１０を電話機本体１００に結合させるためのネジ部１１６が形成されている。アンテナコネクタ１１４の内側には、引き出されたロッドアンテナ９８を安定的に支持するとともに、ロッドアンテナ９８下端部と安定的な電気的接続状態を維持するため、弾性手段（図示せず）が設置されることもできる。また、アンテナコネクタ１１４の内部に弾性手段が設置される代わりに、ロッドアンテナ９８の下端部に外側方向に支持される弾性手段（図示せず）が設置されることもできる。
【００５２】
電話機本体１００の上部側には、アンテナ装着部１２０が形成されており、アンテナ装着部１２０の内部には、中空状の取付溝１２２が形成されている。取付溝１２２の下部の内壁にはネジ山が形成されており、外壁に結合ネジ１２４が形成されたアンテナホルダー１３０が螺着される。アンテナホルダー１３０の外壁に結合ネジ１２４を形成する代わりに、電話機本体１００を成形する際に、ホルダ１３０を電話機本体と一緒にインサート射出成形して一体的に形成することもできる。
【００５３】
アンテナホルダー１３０は、中空状の円筒形であり、内壁に前記ネジ部１１６に対応するネジ溝１３２が形成されており、アンテナコネクタ１１４と隣り合う上端には漸次下降傾斜状に上壁を削り、傾斜面が終わる部分に垂直に突部１３４が両側に一対形成されるようにする。
【００５４】
図７及び図８は、本発明の第４の実施形態によるアンテナユニットを示す。第３の実施形態のように突部１３４をアンテナホルダー１３０上に形成するだけではなく、取付溝１２２の内壁に突部１３４’を形成するようにしたものである。この突部１３４’は、電話機本体をプラスチックのような合成樹脂で射出成形する際に一体に形成する。
【００５５】
そして、環形のアンテナコネクタ１１４外壁には、前記突部１３４又は突部１３４’と噛み合ってアンテナコネクタ１１４の回転を抑制するストッパー１４０が形成されている。従って、アンテナコネクタ１１４の外壁に形成されたストッパー１４０とアンテナホルダー１３０の上面に形成された突部１３４とが噛み合うか、あるいはストッパー１４０と取付溝１２２の内壁に形成された突部１３４’とが噛み合って、アンテナコネクタ１１４がそれ以上回転できないようにしてアンテナハウジング１１０の組立方向（図示で上下方向）の位置決めがなされる。
【００５６】
突部１３４、１３４’はアンテナコネクタ１１４が回転されないように制限し、アンテナハウジング１１０の組立方向の位置を決定する機能を果たせれば十分であるので、突部１３４、１３４’の上下方向の幅（高さ）や水平方向の幅は可能な限り短い方がよく、０．２ｍｍ乃至１ｍｍの範囲内の幅が望ましい。
【００５７】
アンテナコネクタ１１４の上端には、ストッパー１４０と同一または類似した形状の突部１５０が２つ設けられており、前記突部１５０は、合成樹脂製のアンテナ支持部１１２内でインサート射出成形されたアンテナコネクタ１１４が無駄に回らない緩み防止の役割を果たす。
【００５８】
以下、上述したような構成からなる第３及び第４の実施形態によるアンテナユニットの組立過程を簡単に説明することにする。
【００５９】
まず、第３の実施形態のアンテナユニット組立過程を説明する。アンテナホルダー１３０を支持台内部に形成された取付溝１２２に取り付けるが、突部１３４をつなぐ延長線が電話機本体１００側の上面と一致して水平になるよう設ける。ロッドアンテナ９８を貫通孔１０８に挿入して、ロッドアンテナの下端部に弾性手段（図示せず）を設けた後、アンテナコネクタ１１４のネジ部１１６をアンテナホルダー１３０の上段に挿入して時計方向へ回転させることによって、アンテナハウジング１１０を電話機本体１００に取り付ける。このとき、アンテナコネクタ１１４の外壁に形成されたストッパー１４０が突部１３４に引っ掛ってそれ以上回転できないようになるまで時計方向へ回転させる。
【００６０】
次に、第４の実施形態のアンテナユニット組立過程を説明する。アンテナホルダー１３０をアンテナ装着部１２０内部に形成された取付溝１２２に取り付ける際に、アンテナホルダー１３０の外壁に結合ネジ１２４を形成してアンテナホルダー１３０をネジ結合させるか、電話機本体１００を射出成形する際にアンテナホルダー１３０をインサート成形して一体に形成する。ただ、本発明において、アンテナコネクタ１１４の組立方向の位置を決定するために取付溝１２２の内壁に突部１３４’を形成しなければならないために、結合ネジ１２４を形成してネジ結合させる方式よりは、電話機本体１００をモールディングする際に一体的に射出成形する方が望ましいであろう。
【００６１】
そして、突部１３４’は、突部１３４’をつなぐ延長線が電話機本体１００上面と一致して水平になるよう成形する。ロッドアンテナ９８を貫通孔１０８に挿入してロッドアンテナ９８の端部に弾性手段（図示せず）を設けた後、アンテナコネクタ１１４のネジ部１１６をアンテナホルダー１３０上端に挿入して時計方向へ回転させることによってアンテナハウジング１１０を電話機本体１００に取り付ける。このとき、アンテナコネクタ１１４の外壁に形成されたストッパー１４０が突部１３４に引っ掛ってそれ以上回転できなくなるまで時計方向へ回転させる。アンテナコネクタ１１４がインサート成形されたアンテナ支持部１１２の形状は、電話機本体１００と均衡と調和のとれた外観向上を図る効果を有する。
【００６２】
図９乃至図１２には、本発明の第５の実施形態によるアンテナユニットを示す。アンテナホルダー１３０に形成される突部１３５と、アンテナコネクタ１１４に形成されるストッパー１４１の形状が、上述した第３及び第４の実施形態によるアンテナユニットから変更されたことは明らかである。
【００６３】
電話機本体１００上部にはアンテナ装着部１２０が形成され、アンテナ装着部１２０内にアンテナホルダー１３０が装着できる中空状の取付溝１２２が形成される。図１０に示されるように、アンテナホルダー１３０の外側には直線面からなる回転制限面１２６が形成され、取付溝１２２の内壁面は、回転制限面１２６に応じた形状からなり、アンテナホルダー１３０が回転されないようにすることができる。アンテナホルダー１３０は強制的な嵌入方式により取付溝１２２に設置されるのが望ましい。
【００６４】
さらに、アンテナホルダー１３０上端に形成される突部１３５は、上述した第３及び第４の実施形態の突部１３４、１３４’とは異なる形状になっている。すなわち、第３及び第４の実施形態では、突部１３４、１３４’を形成する傾斜面がアンテナホルダー１３０上端の外周縁に沿って長く形成され、隣り合っている突部１３４、１３４’から各々延長される傾斜面の下端がもう一方の傾斜面の上端と隣り合うように構成される。
【００６５】
第５の実施形態において、アンテナホルダー１３０上端に漸次下降の傾斜状に上壁を削って形成される傾斜面１３５ａの終り部分に、垂直に突部１３５が形成された点は、上述した第３及び４の実施形態と類似しているが、傾斜面１３５ａが長く延長される代わりに、短く形成され、前記突部１３５の反対方向へ延長される傾斜面１３５ａの終わり部分がアンテナホルダー１３０の上面に接するよう設けられる。従って、隣り合う突部１３５より各々延長される傾斜面１３５ａの下端がもう一方の傾斜面の上端と隣り合わないようになる。
【００６６】
このような構成からなる突部１３５は、アンテナホルダー１３０にアンテナコネクタ１１４が結合されるとき、一層スムーズに結合できるようアンテナコネクタ１１４の移動を案内する役割を行う。
【００６７】
アンテナコネクタ１１４は、ロッドアンテナ９８が通過できるよう円筒状に形成されており、外壁下部にはネジ部１１６が形成され、前記アンテナホルダー１３０の内側のネジ溝１３２に係合される。アンテナコネクタ１１４の上端には係止用リング１５１が形成されている。この係止用リング１５１は、インサート成形によりアンテナ支持部１１２とアンテナコネクタ１１４とが一体的に形成された後、アンテナ支持部１１２内部においてアンテナコネクタ１１４が無駄に回転しないようにする役目を果たす。
【００６８】
アンテナコネクタ１１４の外壁には、前記突部１３５にかみあい、アンテナコネクタ１１４の回転を抑制するストッパー１４１が形成されている。ストッパー１４１は、前記突部１３５に係止されて、アンテナコネクタ１１４がそれ以上回転されないようにすることによって、アンテナハウジング１１０の組立方向における位置を決定する。
【００６９】
上記の構成によると、アンテナ装着部１２０にアンテナホルダー１３０が結合される際、回転制限面１２６を、アンテナ装着部１２０の取付溝１２２形状に合わせて強制的な嵌入により組立てることによって、アンテナホルダー１３０が正確な位置に結合される為に組み立てが容易に行われる長所がある。さらにアンテナ装着部１２０上の正確な位置に結合されたアンテナホルダー１３０にアンテナコネクタ１１４を取り付ける際には、突部１３５の短い傾斜面がアンテナコネクタ１１４の回転運動を案内することによって、アンテナコネクタ１１４とアンテナホルダー１３０が一層スムーズでかつ安定的に結合され得る。
【００７０】
以上からみてきたように、本発明は、アンテナハウジングの横断面形状が楕円形や四角形など円形でない場合において、ネジ結合のような方式を用いてアンテナを取り付けると、アンテナハウジングが端末機本体の形状と調和しにくくなる。これを解決するために、アンテナが携帯電話機本体に装着されるとき、アンテナの外観デザインにとらわれることなく、いつも同じ形態に設置できるようにし、さらにアンテナが携帯電話機本体に安定的に固定されながら分解と組立が容易で、かつ交換作業が便利に行えるようにすることを目的としていることが理解できるだろう。
【００７１】
すなわち、本発明によれば、ロッドアンテナを支持するアンテナコネクタに突起部を形成して、電話機本体内に内蔵されるアンテナホルダーの案内溝部に突起部を挿入してアンテナハウジングを回転させることによって、アンテナユニットを電話機本体に便利に装着及び分離できるようにした。また、アンテナハウジング外壁にストッパーを形成してアンテナハウジングと結合される電話機本体のアンテナホルダーや取付溝の内壁に突部を形成し、アンテナハウジングを、ストッパーが突部に引っ掛ってそれ以上回転できないようになるまで回転させたり、強制的な嵌入方式によりアンテナユニットが組み立てられるようにして、アンテナユニットの電話機本体への結合状態が常に同じ形状になるようにした。このような本発明の構成は、基本的な技術的な思想の範疇内において、当業者における通常の知識を有する者であれば他の様々な変形が可能であるだろう。
【図面の簡単な説明】
【００７２】
【図１】本発明の第１の実施形態によるアンテナユニットを含む携帯電話機の正面図、及びアンテナユニット周辺の一部破断した部分拡大図。
【図２】上記アンテナユニットの分解斜視図。
【図３】上記アンテナユニットの分解斜視図。
【図４】本発明の第２の実施形態によるアンテナユニットの分解斜視図。
【図５】本発明の第３の実施形態によるアンテナユニットを含む携帯電話機の正面図、及びそのアンテナ締結部位を示した部分断面図。
【図６】上記アンテナユニットのアンテナコネクタとアンテナホルダーの斜視図。
【図７】本発明の第４の実施形態によるアンテナユニットを含む携帯電話機の正面図、及びそのアンテナ締結部位を示した部分断面図。
【図８】上記アンテナユニットのアンテナコネクタ締結部位を示す一部破断した斜視図。
【図９】本発明の第５の実施形態によるアンテナユニットの断面図。
【図１０】上記アンテナユニットのアンテナコネクタとアンテナホルダーの斜視図。
【図１１】上記アンテナユニットにおけるアンテナコネクタ締結部位の斜視図。
【図１２】上記アンテナユニットの取付方法の説明図。
【図１３】従来例のアンテナユニットを含む携帯電話機の斜視図及びアンテナ部分の部分断面図。
【図１４】他の従来例のアンテナユニットを含む携帯電話機の斜視図及びアンテナ部分の組立図。
【符号の説明】
【００７３】
９８      ロッドアンテナ
１００    電話機本体
１１０    アンテナハウジング
１１４    アンテナコネクタ
１２０    アンテナ装着部
１２２    取付溝
１２４    結合ネジ
１３０    アンテナホルダー
１３４    突部
３０１    電話機本体
３１１    アンテナハウジング
３１３    アンテナコネクタ
４１１    アンテナハウジング
４１３    アンテナコネクタ
【図１】
2004343704.tif 000003
【図２】
2004343704.tif 000004
【図３】
2004343704.tif 000005
【図４】
2004343704.tif 000006
【図５】
2004343704.tif 000007
【図６】
2004343704.tif 000008
【図７】
2004343704.tif 000009
【図８】
2004343704.tif 000010
【図９】
2004343704.tif 000011
【図１０】
2004343704.tif 000012
【図１１】
2004343704.tif 000013
【図１２】
2004343704.tif 000014
【図１３】
2004343704.tif 000015
【図１４】
2004343704.tif 000016